(57)【要約】【課題】  用紙サイズミスマッチによるトラブルが防止された画像形成装置を提供することを目的とする。【解決手段】  用紙の種類および用紙サイズを設定する用紙情報設定部１２と、センサ１４ａにより用紙サイズを検知する用紙サイズ検知部１４と、用紙上に画像を形成する画像形成部１３と、用紙情報設定部１２による用紙サイズと用紙サイズ検知部１４による用紙サイズとの差を記憶する用紙サイズ差記憶部１５と、用紙の種類がタブ紙であった場合に、用紙サイズ差記憶部１５に記憶された用紙サイズ差が、用紙サイズのプラス側の許容誤差に最大タブサイズを加算した値からマイナス側の許容誤差までの範囲を外れている場合に画像形成を停止させるように制御する制御部１６とを備えた。【選択図】        図１
2007084325.tif 000002
【特許請求の範囲】
【請求項１】
用紙の一辺にタブを有するタブ紙を含む複数種類の用紙が収納される用紙トレイと、操作に応じて用紙の種類および用紙サイズを含む用紙情報を設定する用紙情報設定部と、前記用紙トレイから送出された用紙のサイズを検知する用紙サイズ検知部と、前記用紙トレイから送出された用紙上に画像を形成する画像形成部と、前記用紙情報に基づき前記画像形成部による画像形成動作を制御する制御部とを有する画像形成装置において、
用紙サイズのプラス側およびマイナス側の許容誤差を記憶する用紙サイズ許容誤差記憶部と、
前記用紙情報設定部によって設定された用紙サイズと前記用紙サイズ検知部によって検知された用紙サイズとの差を記憶する用紙サイズ差記憶部と、
前記用紙の種類がタブ紙であった場合に、前記用紙サイズ許容誤差記憶部に記憶されたプラス側の許容誤差を、該プラス側の許容誤差にタブとしてとり得る最大タブサイズを加算した値に更新する用紙サイズ許容誤差更新部とを備え、
前記制御部は、前記用紙サイズ差記憶部に記憶された用紙サイズ差が、前記用紙サイズ許容誤差更新部で更新された用紙サイズ許容誤差記憶部に記憶されたプラス側の許容誤差からマイナス側の許容誤差までの範囲を外れている場合には前記画像形成動作を中止させるように制御するものであることを特徴とする画像形成装置。
【請求項２】
用紙の一辺にタブを有するタブ紙を含む複数種類の用紙が収納される用紙トレイと、操作に応じて用紙の種類、用紙サイズ、およびタブサイズを含む用紙情報を設定する用紙情報設定部と、前記用紙トレイから送出された用紙のサイズを検知する用紙サイズ検知部と、前記用紙トレイから送出された用紙上に画像を形成する画像形成部と、前記用紙情報に基づき前記画像形成部による画像形成動作を制御する制御部とを有する画像形成装置において、
用紙サイズのプラス側およびマイナス側の許容誤差を記憶する用紙サイズ許容誤差記憶部と、
前記用紙情報設定部によって設定された用紙サイズと前記用紙サイズ検知部によって検知された用紙サイズとの差を記憶する用紙サイズ差記憶部と、
前記用紙の種類がタブ紙であった場合に、前記用紙サイズ許容誤差記憶部に記憶されたプラス側の許容誤差を、該プラス側の許容誤差に前記タブサイズを加算した値に更新する用紙サイズ許容誤差更新部とを備え、
前記制御部は、前記用紙サイズ差記憶部に記憶された用紙サイズ差が、前記用紙サイズ許容誤差更新部で更新された用紙サイズ許容誤差記憶部に記憶されたプラス側の許容誤差からマイナス側の許容誤差までの範囲を外れている場合には前記画像形成動作を中止させるように制御するものであることを特徴とする画像形成装置。
【請求項３】
用紙の一辺にタブを有するタブ紙を含む複数種類の用紙が収納される用紙トレイと、操作に応じて用紙の種類、および用紙サイズを含む用紙情報を設定する用紙情報設定部と、前記用紙トレイから送出された用紙の用紙サイズを検知する用紙サイズ検知部と、前記用紙トレイから送出された用紙上に画像を形成する画像形成部と、前記用紙情報に基づき前記画像形成部による画像形成動作を制御する制御部とを有する画像形成装置において、
用紙サイズのプラス側許容誤差およびマイナス側許容誤差が記憶される用紙サイズ許容誤差記憶部と、
タブ紙の最大サイズおよび最小サイズが記憶されるタブサイズ記憶部と、
前記用紙情報設定部によって設定された用紙サイズと前記用紙サイズ検知部によって検知された用紙サイズとの用紙サイズ差を記憶する用紙サイズ差記憶部と、
起動時にはオフにセットされ、前記用紙サイズ検知部によって最初のタブ用紙が検知されたときにオンにセットされるタブ紙検知フラグと、
前記用紙サイズ検知部によって検知された用紙サイズが、前記タブサイズ記憶部に記憶されたタブ紙の最大サイズから最小サイズまでの範囲内に含まれている場合に、前記用紙サイズ許容誤差記憶部に記憶されたプラス側許容誤差を、該プラス側許容誤差に前記用紙サイズ差記憶部に記憶された用紙サイズ差を加算した値に更新する用紙サイズ許容誤差更新部とを備え、
前記制御部は、前記用紙サイズ差記憶部に記憶された用紙サイズ差が、前記用紙サイズ許容誤差更新部で更新された用紙サイズ許容誤差記憶部に記憶されたプラス側許容誤差からマイナス側許容誤差までの範囲を外れている場合には前記画像形成動作を中止させるように制御するものであることを特徴とする画像形成装置。
【請求項４】
用紙の一辺にタブを有するタブ紙を含む複数種類の用紙が収納される用紙トレイと、操作に応じて用紙の種類、および用紙サイズを含む用紙情報を設定する用紙情報設定部と、前記用紙トレイから送出された用紙の用紙サイズを検知する用紙サイズ検知部と、前記用紙トレイから送出された用紙上に画像を形成する画像形成部と、前記用紙情報に基づき前記画像形成部による画像形成動作を制御する制御部とを有する画像形成装置において、
用紙サイズのプラス側許容誤差およびマイナス側許容誤差が記憶される用紙サイズ許容誤差記憶部と、
タブ紙の最大サイズおよび最小サイズが記憶されるタブサイズ記憶部と、
前記用紙情報設定部によって設定された用紙サイズと前記用紙サイズ検知部によって検知された用紙サイズとの用紙サイズ差を記憶する用紙サイズ差記憶部と、
起動時にはクリアされ、前記用紙サイズ検知部によって最初のタブ用紙が検知されたときに、該用紙サイズ検知部によって検知された用紙サイズが記憶される用紙検知サイズメモリとを備え、
前記制御部は、前記用紙情報設定部により設定された用紙の種類が非タブ紙である場合には前記用紙サイズ差記憶部に記憶された用紙サイズ差が、前記用紙サイズ許容誤差記憶部に記憶された用紙サイズのプラス側許容誤差からマイナス側許容誤差までの範囲を外れている場合には前記画像形成部による画像形成を中止させるように制御するとともに、
前記用紙情報設定部により設定された用紙の種類がタブ紙である場合には前記用紙サイズ検知部によって検知された用紙サイズが、前記用紙検知サイズメモリに記憶されている用紙サイズに前記用紙サイズ許容誤差記憶部に記憶された用紙サイズのプラス側許容誤差を加算した値から前記用紙サイズ許容誤差記憶部に記憶された用紙サイズのマイナス側許容誤差を加算した値までの範囲を外れており、かつ前記用紙サイズ差記憶部に記憶された用紙サイズ差が、前記用紙サイズ許容誤差記憶部に記憶された用紙サイズのプラス側許容誤差からマイナス側許容誤差までの範囲を外れている場合には前記画像形成部による画像形成を中止させるように制御するものであることを特徴とする画像形成装置。
【請求項５】
用紙の一辺にタブを有するタブ紙を含む複数種類の用紙が収納される用紙トレイと、操作に応じて用紙の種類、用紙サイズ、およびタブサイズを含む用紙情報を設定する用紙情報設定部と、前記用紙トレイから送出された用紙のサイズを検知する用紙サイズ検知部と、前記用紙トレイから送出された用紙上に画像を形成する画像形成部と、前記用紙情報に基づき前記画像形成部による画像形成動作を制御する制御部とを有する画像形成装置において、
用紙サイズのプラス側およびマイナス側の許容誤差を記憶する用紙サイズ許容誤差記憶部と、
前記用紙情報設定部によって設定された用紙サイズと前記用紙サイズ検知部によって検知された用紙サイズとの差を記憶する用紙サイズ差記憶部と、
前記用紙情報設定部により設定された用紙の種類がタブ紙である場合に、前記用紙情報設定部により設定された用紙サイズとタブサイズとを加算したタブ紙サイズを記憶するタブ紙サイズ記憶部とを備え、
前記制御部は、
前記用紙情報設定部により設定された用紙の種類が非タブ紙である場合には前記用紙サイズ差記憶部に記憶された用紙サイズ差が、前記用紙サイズ許容誤差記憶部に記憶された用紙サイズのプラス側の許容誤差からマイナス側の許容誤差までの範囲を外れている場合には前記画像形成部による画像形成を中止させるように制御するとともに、
前記用紙情報設定部により設定された用紙の種類がタブ紙である場合には前記用紙サイズ検知部によって検知された用紙サイズが、前記タブ紙サイズ記憶部に記憶されているタブ紙サイズに前記プラス側の許容誤差を加算した値から前記マイナス側の許容誤差を加算した値までの範囲を外れており、かつ前記用紙サイズ差記憶部に記憶された用紙サイズ差が、前記用紙サイズ許容誤差記憶部に記憶された用紙サイズのプラス側の許容誤差からマイナス側の許容誤差までの範囲を外れている場合には前記画像形成部による画像形成を中止させるように制御するものであることを特徴とする画像形成装置。
【発明の詳細な説明】
【技術分野】
【０００１】
本発明は、タブ紙を含む複数種類の用紙に画像を形成する画像形成装置に関する。
【背景技術】
【０００２】
従来、複数サイズの用紙を収納することのできる用紙トレイを有し、ユーザの指定に基づき、指定されたサイズの用紙上に画像形成を行う画像形成装置において、誤って指定サイズよりもサイズの長い用紙が用紙トレイから送出された場合用紙ジャムが発生しやすく、そのため画像形成装置の稼働率を低下させるという問題がある。
【０００３】
そこで、このような用紙サイズミスマッチが発生したときでも用紙ジャムが発生しないように工夫した画像形成装置が開発されている。
【０００４】
例えば、用紙の通過を検知するセンサを用いて、用紙トレイから送出された用紙のサイズを検知し、検知したサイズが、ユーザの指定したサイズよりも長いと判定された場合には用紙の送出を一時停止するようにした用紙給送装置が開示されている（例えば、特許文献１参照。）。
【特許文献１】特開平４−２４０６６６号公報（第２−４頁、図１）
【発明の開示】
【発明が解決しようとする課題】
【０００５】
しかし、上記のような従来の技術を用いて、タブ紙などの特殊な形状の用紙に画像形成を行おうとしたときに、タブが用紙搬送方向に交わる方向の辺全体に形成されている場合には、タブのサイズを含めた全体のサイズを用紙サイズとすればよいが、タブ紙の中にはタブ部分が用紙搬送方向に交わる方向の一部分にしか形成されていないものが多い。そのようなタブ紙の場合には用紙サイズ検知センサが用紙搬送方向に交わる方向のどの位置に配備されているかによってタブの有る部分の用紙サイズを検知したりタブの無い部分の用紙サイズを検知したりすることとなり、正確な用紙サイズ検知を行うことができず用紙サイズミスマッチを起こし画像形成動作が中断されてしまう。
【０００６】
図１２は、タブ紙の形状を示す図であり、図１３は、タブの形成位置と用紙サイズ検知センサの配備位置との関係を示す図である。
【０００７】
図１２には、タブＴが用紙搬送方向Ａに交わる方向Ｂのいろいろな位置に形成されている例が示されている。ここで、図１３に示すように、用紙サイズ検知センサが方向ＢのＢ１の位置に配備されている場合とＢ２の位置に配備されている場合とによって、タブの有る部分の用紙サイズＳ１を検知したりタブの無い部分の用紙サイズＳ２を検知したりすることが生じ正確な用紙サイズ検知を行うことができず、用紙サイズミスマッチを起こし画像形成装置の稼働率を低下させる。
【０００８】
本発明は、上記事情に鑑み、用紙サイズミスマッチによるトラブルが防止された画像形成装置を提供することを目的とする。
【課題を解決するための手段】
【０００９】
上記課題を解決する本発明の第１の画像形成装置は、
用紙の一辺にタブを有するタブ紙を含む複数種類の用紙が収納される用紙トレイと、操作に応じて用紙の種類および用紙サイズを含む用紙情報を設定する用紙情報設定部と、上記用紙トレイから送出された用紙のサイズを検知する用紙サイズ検知部と、上記用紙トレイから送出された用紙上に画像を形成する画像形成部と、上記用紙情報に基づき上記画像形成部による画像形成動作を制御する制御部とを有する画像形成装置において、
用紙サイズのプラス側およびマイナス側の許容誤差を記憶する用紙サイズ許容誤差記憶部と、
上記用紙情報設定部によって設定された用紙サイズと上記用紙サイズ検知部によって検知された用紙サイズとの差を記憶する用紙サイズ差記憶部と、
上記用紙の種類がタブ紙であった場合に、上記用紙サイズ許容誤差記憶部に記憶されたプラス側の許容誤差を、該プラス側の許容誤差にタブとしてとり得る最大タブサイズを加算した値に更新する用紙サイズ許容誤差更新部とを備え、
上記制御部は、上記用紙サイズ差記憶部に記憶された用紙サイズ差が、上記用紙サイズ許容誤差更新部で更新された用紙サイズ許容誤差記憶部に記憶されたプラス側の許容誤差からマイナス側の許容誤差までの範囲を外れている場合には上記画像形成動作を中止させるように制御するものであることを特徴とする。
【００１０】
上記第１の画像形成装置によれば、上記のように、用紙サイズのプラス側の許容誤差にタブとしてとり得る最大タブサイズを加算した値をプラス側の許容誤差として用紙サイズをチェックしているので、どのようにタブが形成されている用紙であっても安全サイドの用紙サイズチェックを行うことができる。
【００１１】
また、上記課題を解決する本発明の第２の画像形成装置は、
用紙の一辺にタブを有するタブ紙を含む複数種類の用紙が収納される用紙トレイと、操作に応じて用紙の種類、用紙サイズ、およびタブサイズを含む用紙情報を設定する用紙情報設定部と、上記用紙トレイから送出された用紙のサイズを検知する用紙サイズ検知部と、上記用紙トレイから送出された用紙上に画像を形成する画像形成部と、上記用紙情報に基づき上記画像形成部による画像形成動作を制御する制御部とを有する画像形成装置において、
用紙サイズのプラス側およびマイナス側の許容誤差を記憶する用紙サイズ許容誤差記憶部と、
上記用紙情報設定部によって設定された用紙サイズと上記用紙サイズ検知部によって検知された用紙サイズとの差を記憶する用紙サイズ差記憶部と、
上記用紙の種類がタブ紙であった場合に、上記用紙サイズ許容誤差記憶部に記憶されたプラス側の許容誤差を、該プラス側の許容誤差に上記タブサイズを加算した値に更新する用紙サイズ許容誤差更新部とを備え、
上記制御部は、上記用紙サイズ差記憶部に記憶された用紙サイズ差が、上記用紙サイズ許容誤差更新部で更新された用紙サイズ許容誤差記憶部に記憶されたプラス側の許容誤差からマイナス側の許容誤差までの範囲を外れている場合には上記画像形成動作を中止させるように制御するものであることを特徴とする。
【００１２】
上記第２の画像形成装置によれば、上記のように、用紙情報設定部で設定されたタブサイズを用いて用紙サイズ許容誤差を更新するようにしているので、精度の高い用紙サイズチェックを行うことができる。
【００１３】
また、上記課題を解決する本発明の第３の画像形成装置は、
用紙の一辺にタブを有するタブ紙を含む複数種類の用紙が収納される用紙トレイと、操作に応じて用紙の種類、および用紙サイズを含む用紙情報を設定する用紙情報設定部と、上記用紙トレイから送出された用紙の用紙サイズを検知する用紙サイズ検知部と、上記用紙トレイから送出された用紙上に画像を形成する画像形成部と、上記用紙情報に基づき上記画像形成部による画像形成動作を制御する制御部とを有する画像形成装置において、
用紙サイズのプラス側許容誤差およびマイナス側許容誤差が記憶される用紙サイズ許容誤差記憶部と、
タブ紙の最大サイズおよび最小サイズが記憶されるタブサイズ記憶部と、
上記用紙情報設定部によって設定された用紙サイズと上記用紙サイズ検知部によって検知された用紙サイズとの用紙サイズ差を記憶する用紙サイズ差記憶部と、
起動時にはオフにセットされ、上記用紙サイズ検知部によって最初のタブ用紙が検知されたときにオンにセットされるタブ紙検知フラグと、
上記用紙サイズ検知部によって検知された用紙サイズが、上記タブサイズ記憶部に記憶されたタブ紙の最大サイズから最小サイズまでの範囲内に含まれている場合に、上記用紙サイズ許容誤差記憶部に記憶されたプラス側許容誤差を、該プラス側許容誤差に上記用紙サイズ差記憶部に記憶された用紙サイズ差を加算した値に更新する用紙サイズ許容誤差更新部とを備え、
上記制御部は、上記用紙サイズ差記憶部に記憶された用紙サイズ差が、上記用紙サイズ許容誤差更新部で更新された用紙サイズ許容誤差記憶部に記憶されたプラス側許容誤差からマイナス側許容誤差までの範囲を外れている場合には上記画像形成動作を中止させるように制御するものであることを特徴とする。
【００１４】
上記第３の画像形成装置によれば、上記のように、タブサイズのプラス側およびマイナス側の許容誤差を用いて用紙サイズ許容誤差を更新するようにしているので、精度の高い用紙サイズチェックを行うことができる。
【００１５】
また、上記課題を解決する本発明の第４の画像形成装置は、
用紙の一辺にタブを有するタブ紙を含む複数種類の用紙が収納される用紙トレイと、操作に応じて用紙の種類、および用紙サイズを含む用紙情報を設定する用紙情報設定部と、上記用紙トレイから送出された用紙の用紙サイズを検知する用紙サイズ検知部と、上記用紙トレイから送出された用紙上に画像を形成する画像形成部と、上記用紙情報に基づき上記画像形成部による画像形成動作を制御する制御部とを有する画像形成装置において、
用紙サイズのプラス側許容誤差およびマイナス側許容誤差が記憶される用紙サイズ許容誤差記憶部と、
タブ紙の最大サイズおよび最小サイズが記憶されるタブサイズ記憶部と、
上記用紙情報設定部によって設定された用紙サイズと上記用紙サイズ検知部によって検知された用紙サイズとの用紙サイズ差を記憶する用紙サイズ差記憶部と、
起動時にはクリアされ、上記用紙サイズ検知部によって最初のタブ用紙が検知されたときに、該用紙サイズ検知部によって検知された用紙サイズが記憶される用紙検知サイズメモリとを備え、
上記制御部は、上記用紙情報設定部により設定された用紙の種類が非タブ紙である場合には上記用紙サイズ差記憶部に記憶された用紙サイズ差が、上記用紙サイズ許容誤差記憶部に記憶された用紙サイズのプラス側許容誤差からマイナス側許容誤差までの範囲を外れている場合には上記画像形成部による画像形成を中止させるように制御するとともに、
上記用紙情報設定部により設定された用紙の種類がタブ紙である場合には上記用紙サイズ検知部によって検知された用紙サイズが、上記用紙検知サイズメモリに記憶されている用紙サイズに上記用紙サイズ許容誤差記憶部に記憶された用紙サイズのプラス側許容誤差を加算した値から上記用紙サイズ許容誤差記憶部に記憶された用紙サイズのマイナス側許容誤差を加算した値までの範囲を外れており、かつ上記用紙サイズ差記憶部に記憶された用紙サイズ差が、上記用紙サイズ許容誤差記憶部に記憶された用紙サイズのプラス側許容誤差からマイナス側許容誤差までの範囲を外れている場合には上記画像形成部による画像形成を中止させるように制御するものであることを特徴とする。
【００１６】
上記第４の画像形成装置によれば、上記のように、用紙サイズ検知部によって検知された用紙サイズに上記タブサイズのプラス側の許容誤差およびマイナス側の許容誤差をそれぞれ加算した最大タブ紙サイズおよび最小タブ紙サイズを用いて用紙サイズ許容誤差を更新するようにしているので、精度の高い用紙サイズチェックを行うことができる。また、用紙の種類が非タブ紙の場合とタブ紙の場合とで別々の制御を行っているので、高い精度で用紙サイズチェックを行うことができる。
【００１７】
また、上記課題を解決する本発明の第５の画像形成装置は、
用紙の一辺にタブを有するタブ紙を含む複数種類の用紙が収納される用紙トレイと、操作に応じて用紙の種類、用紙サイズ、およびタブサイズを含む用紙情報を設定する用紙情報設定部と、上記用紙トレイから送出された用紙のサイズを検知する用紙サイズ検知部と、上記用紙トレイから送出された用紙上に画像を形成する画像形成部と、上記用紙情報に基づき上記画像形成部による画像形成動作を制御する制御部とを有する画像形成装置において、
用紙サイズのプラス側およびマイナス側の許容誤差を記憶する用紙サイズ許容誤差記憶部と、
上記用紙情報設定部によって設定された用紙サイズと上記用紙サイズ検知部によって検知された用紙サイズとの差を記憶する用紙サイズ差記憶部と、
上記用紙情報設定部により設定された用紙の種類がタブ紙である場合に、上記用紙情報設定部により設定された用紙サイズとタブサイズとを加算したタブ紙サイズを記憶するタブ紙サイズ記憶部とを備え、
上記制御部は、
上記用紙情報設定部により設定された用紙の種類が非タブ紙である場合には上記用紙サイズ差記憶部に記憶された用紙サイズ差が、上記用紙サイズ許容誤差記憶部に記憶された用紙サイズのプラス側の許容誤差からマイナス側の許容誤差までの範囲を外れている場合には上記画像形成部による画像形成を中止させるように制御するとともに、
上記用紙情報設定部により設定された用紙の種類がタブ紙である場合には上記用紙サイズ検知部によって検知された用紙サイズが、上記タブ紙サイズ記憶部に記憶されているタブ紙サイズに上記プラス側の許容誤差を加算した値から上記マイナス側の許容誤差を加算した値までの範囲を外れており、かつ上記用紙サイズ差記憶部に記憶された用紙サイズ差が、上記用紙サイズ許容誤差記憶部に記憶された用紙サイズのプラス側の許容誤差からマイナス側の許容誤差までの範囲を外れている場合には上記画像形成部による画像形成を中止させるように制御するものであることを特徴とする。
【００１８】
上記第５の画像形成装置によれば、上記のように、設定された用紙の種類がタブ紙である場合に、上記用紙情報設定部により設定された用紙サイズとタブサイズとを加算したタブ紙サイズを用いて用紙サイズチェックを行っているので、精度の高い用紙サイズチェックを行うことができる。また、用紙の種類が非タブ紙の場合にはタブ紙の場合とは別に、用紙サイズ差記憶部に記憶された用紙サイズ差が用紙サイズ許容誤差記憶部に記憶された用紙サイズのプラス側の許容誤差からマイナス側の許容誤差までの範囲内に含まれているか否かに基づいて用紙サイズチェックを行っているので、高い精度で用紙サイズチェックを行うことができる。
【発明の効果】
【００１９】
以上説明したように、本発明の画像形成装置によれば、用紙サイズミスマッチによるトラブルが防止された画像形成装置を実現することができる。
【発明を実施するための最良の形態】
【００２０】
以下図面を参照して本発明の画像形成装置の実施の形態を説明する。
【００２１】
図１は、本発明の画像形成装置の第１および第２の実施形態に共通の概略構成図である。
【００２２】
図１に示すように、この画像形成装置１は、ユーザにより操作される操作卓１０と、用紙の一辺にタブを有するタブ紙を含む複数種類の用紙が収納される用紙トレイＴと、操作に応じて用紙の種類および用紙サイズを含む用紙情報を設定する用紙情報設定部１２と、用紙トレイＴから送出された用紙の通過を検出するセンサ１４ａと、センサ１４ａからの検出信号に基づき用紙サイズを検知する用紙サイズ検知部１４と、用紙トレイＴから送出された用紙上に画像を形成する画像形成部１３と、上記用紙情報に基づき画像形成部１３による画像形成動作を制御する制御部１６と、用紙サイズのプラス側およびマイナス側の許容誤差を記憶する用紙サイズ許容誤差記憶部１７と、用紙情報設定部１２によって設定された用紙サイズと用紙サイズ検知部１４によって検知された用紙サイズとの差を記憶する用紙サイズ差記憶部１５と、用紙の種類がタブ紙であった場合に、用紙サイズ許容誤差記憶部１７に記憶されたプラス側の許容誤差を、該プラス側の許容誤差にタブとしてとり得る最大タブサイズを加算した値に更新する用紙サイズ許容誤差更新部１８とを備えている。
【００２３】
制御部１６は、用紙サイズ差記憶部１５に記憶された用紙サイズ差が、用紙サイズ許容誤差更新部１８で更新された用紙サイズ許容誤差記憶部１７に記憶されたプラス側の許容誤差からマイナス側の許容誤差までの範囲を外れている場合、すなわち用紙サイズミスマッチを起こした場合には画像形成を停止させるように制御する。
【００２４】
この画像形成装置１では、用紙サイズミスマッチとして検出された用紙は即座に搬送を停止するとともにそれ以降の画像形成動作は停止される。
【００２５】
また、この画像形成装置１の操作卓１０には次に示す用紙情報設定画面が表示される。
【００２６】
図２は、本発明の第１の実施形態の画像形成装置に備えられた操作卓に表示される用紙情報設定画面を示す図である。
【００２７】
図２に示すように、この用紙情報設定画面１０ａには、用紙の種類を設定する用紙種類設定領域１０ｂおよび用紙サイズを設定する用紙サイズ設定領域１０ｃが設けられており、ユーザが、用紙種類設定領域１０ｂに設けられた複数のボタンのうちの所望のボタンを押下することにより、また、用紙サイズ設定領域１０ｃに設けられた横サイズ設定窓１０ｄまたは縦サイズ設定窓１０ｅのいずれかに所望の用紙サイズを入力することにより、用紙種類および用紙サイズが用紙情報設定部１２（図１参照）に設定されるようになっている。
【００２８】
なお、この用紙情報設定画面１０ａは、本発明の第１の実施形態の画像形成装置だけではなく、第３および第４の実施形態の画像形成装置にも用いられる。
【００２９】
以下に第１の実施形態の画像形成装置の動作について説明する。
【００３０】
図３は、本発明の第１の実施形態の画像形成装置のタブ紙給紙制御動作を示すフローチャートである。
【００３１】
この第１の実施形態の画像形成装置は、本発明の請求項１の画像形成装置に対応するものである。
【００３２】
なお、この第１の実施形態では、用紙情報設定部１２によって用紙種類として「タブ紙」、用紙サイズＳとして「２１０ｍｍ」が設定されており、また、用紙サイズ許容誤差記憶部１７には、用紙サイズのプラス側許容誤差Ｌｍａｘとして「＋５ｍｍ」、用紙サイズのマイナス側許容誤差Ｌｍｉｎとして「−５ｍｍ」が初期値として記憶されており、また、この画像形成装置に使用されるタブ紙のタブとしてとり得る最大タブサイズＴとして「２０ｍｍ」が設定されている。
【００３３】
図３に示すように、この第１の実施形態では、先ず、ユーザの操作に応じて用紙情報設定部１２（図１参照）により設定された用紙種類がタブ紙であるか否かの判定が行われる（ステップＳ１０１）。
【００３４】
ステップＳ１０１における判定の結果、用紙種類がタブ紙である場合はステップＳ１０２に進み、用紙種類がタブ紙ではない場合はステップＳ１０３に進む。
【００３５】
この例では、用紙情報設定部１２により用紙種類はタブ紙であると設定されているのでステップＳ１０２に進む。
【００３６】
ステップＳ１０２では、用紙サイズ許容誤差更新部１８（図１参照）は、用紙サイズ許容誤差記憶部１７に記憶された用紙サイズのプラス側許容誤差Ｌｍａｘ（＋５ｍｍ）に上記最大タブサイズＴ（２０ｍｍ）を加算し、その加算値（２５ｍｍ）で用紙サイズ許容誤差記憶部１７に記憶された用紙サイズのプラス側許容誤差Ｌｍａｘを更新する。
【００３７】
ステップＳ１０３では、用紙サイズ検知部１４による用紙サイズ検知が行われ、ステップＳ１０４では、その検知された用紙サイズＬと上記用紙サイズＳとの用紙サイズ差ｄｉｆｆが求められ用紙サイズ差記憶部１５（図１参照）に記憶される（ステップＳ１０４）。
【００３８】
この例では検知された用紙サイズＬとして２２０ｍｍが得られ、用紙サイズＳは２１０ｍｍであるから用紙サイズ差記憶部１５には用紙サイズ差ｄｉｆｆとして１０ｍｍが記憶される。
【００３９】
次に、ステップＳ１０５では、上記用紙サイズ差ｄｉｆｆが、用紙サイズ許容誤差記憶部１７に記憶されたプラス側の許容誤差Ｌｍａｘからマイナス側の許容誤差Ｌｍｉｎまでの範囲内であるか否か、すなわち用紙サイズミスマッチが発生したか否かが判定される。
【００４０】
ステップＳ１０５において範囲内であると判定された場合、すなわち用紙サイズミスマッチが発生していない場合にはステップＳ１０６に進み、ステップＳ１０５において範囲内ではないと判定された場合、すなわち用紙サイズミスマッチが発生した場合にはステップＳ１０８に進む。
【００４１】
上記の例では、Ｌｍｉｎ＜ｄｉｆｆ＜ＬｍａｘとなるのでステップＳ１０６に進む。
【００４２】
ステップＳ１０６では、画像形成部１３（図１参照）による通常の画像形成動作が続けられ、次にステップＳ１０７で画像形成動作が終了したか否かが判定され、画像形成動作が終了していないと判定された場合はステップＳ１０３以降の処理が繰り返され、画像形成動作が終了したと判定された場合はこのフローチャートの処理を終了する。
【００４３】
ステップＳ１０８では、前述のように、用紙サイズミスマッチとして検出された用紙は即座に搬送を停止するとともにそれ以降の画像形成動作は停止される。
【００４４】
次に、本発明の第２の実施形態について説明する。
【００４５】
この第２の実施形態の画像形成装置は、本発明の請求項２の画像形成装置に対応するものである。
【００４６】
この第２の実施形態の画像形成装置は、図１を参照して説明した第１の実施形態の画像形成装置１とほぼ同様の構成を有しており、第１の実施形態の画像形成装置とは次の点のみが相違している。すなわち、第２の実施形態の画像形成装置における用紙情報設定部１２が設定する用紙情報にはタブサイズが含まれている。すなわち、この第２の実施形態の画像形成装置では、操作卓に表示される用紙情報設定画面として、図２を参照して説明した用紙情報設定画面の代わりに図４に示す画面が用いられる。なお、この用紙情報設定画面は第２の実施形態の画像形成装置だけではなく、第５の実施形態の画像形成装置にも用いられる。
【００４７】
図４は、第２および第５の実施形態の画像形成装置に備えられた操作卓に表示される用紙情報設定画面を示す図である。
【００４８】
図４に示すように、この用紙情報設定画面１０ａ’には、用紙の種類を設定する用紙種類設定領域１０ｂ、用紙サイズを設定する用紙サイズ設定領域１０ｃ、およびタブサイズを設定するタブサイズ設定領域１０ｆが設けられている。用紙種類設定領域１０ｂおよび用紙サイズ設定領域１０ｃは、図２に示した用紙情報設定画面１０ａにおけるものと同じであるが、タブサイズ設定領域１０ｆに、ユーザがタブサイズ設定領域１０ｆのタブサイズ設定窓１０ｇに所望のタブサイズを入力することにより、タブサイズＴＡＢが用紙情報設定部１２（図１参照）に設定されるようになっている。
【００４９】
図５は、本発明の第２の実施形態の画像形成装置のタブ紙給紙制御動作を示すフローチャートである。
【００５０】
なお、この第２の実施形態では、用紙情報設定部１２によって用紙種類として「タブ紙」、用紙サイズＳとして「２１０ｍｍ」、タブサイズＴＡＢとして「２０ｍｍ」が設定されており、また、用紙サイズ許容誤差記憶部１７には、用紙サイズのプラス側許容誤差Ｌｍａｘとして「＋５ｍｍ」、用紙サイズのマイナス側許容誤差Ｌｍｉｎとして「−５ｍｍ」が初期値として記憶されている。
【００５１】
図５に示すように、この第２の実施形態では、先ず、ユーザの操作に応じて用紙情報設定部１２（図１参照）により設定された用紙種類がタブ紙であるか否かの判定が行われる（ステップＳ２０１）。
【００５２】
ステップＳ２０１における判定の結果、用紙種類がタブ紙である場合はステップＳ２０２に進み、用紙種類がタブ紙ではない場合はステップＳ２０３に進む。
【００５３】
この例では、用紙情報設定部１２により用紙種類はタブ紙であると設定されているのでステップＳ２０２に進む。
【００５４】
ステップＳ２０２では、用紙サイズ許容誤差更新部１８（図１参照）は、用紙サイズ許容誤差記憶部１７に記憶された用紙サイズのプラス側許容誤差Ｌｍａｘに上記タブサイズＴＡＢを加算し、その加算値で用紙サイズ許容誤差記憶部１７に記憶された用紙サイズのプラス側許容誤差Ｌｍａｘを更新する。
【００５５】
ステップＳ２０３では、用紙サイズ検知部１４による用紙サイズ検知が行われ、ステップＳ２０４では、その検知された用紙サイズＬと上記用紙サイズＳとの用紙サイズ差ｄｉｆｆが求められ用紙サイズ差記憶部１５（図１参照）に記憶される（ステップＳ２０４）。
【００５６】
この例では検知された用紙サイズＬとして２２０ｍｍが得られ、用紙サイズＳは２１０ｍｍであるから用紙サイズ差記憶部１５には用紙サイズ差ｄｉｆｆとして１０ｍｍが記憶される。
【００５７】
次に、ステップＳ２０５では、上記用紙サイズ差ｄｉｆｆが、用紙サイズ許容誤差記憶部１７に記憶されたプラス側の許容誤差Ｌｍａｘからマイナス側の許容誤差Ｌｍｉｎまでの範囲内であるか否か、すなわち用紙サイズミスマッチが発生したか否かが判定される。
【００５８】
ステップＳ２０５において範囲内であると判定された場合、すなわち用紙サイズミスマッチが発生していない場合にはステップＳ２０６に進み、ステップＳ２０５において範囲内ではないと判定された場合、すなわち用紙サイズミスマッチが発生した場合にはステップＳ２０８に進む。
【００５９】
上記の例では、Ｌｍｉｎ＜ｄｉｆｆ＜ＬｍａｘとなるのでステップＳ２０６に進む。
【００６０】
ステップＳ２０６では、画像形成部１３（図１参照）による通常の画像形成動作が続けられ、次にステップＳ２０７で画像形成動作が終了したか否かが判定され、画像形成動作が終了していないと判定された場合はステップＳ２０３以降の処理が繰り返され、画像形成動作が終了したと判定された場合はこのフローチャートの処理を終了する。
【００６１】
ステップＳ２０８では、用紙サイズミスマッチとして検出された用紙は即座に搬送を停止するとともにそれ以降の画像形成動作は停止される。
【００６２】
次に、本発明の第３の実施形態について説明する。
【００６３】
図６は、本発明の第３の実施形態の画像形成装置の概略構成図である。
【００６４】
この第３の実施形態の画像形成装置は、本発明の請求項３の画像形成装置に対応するものである。
【００６５】
図６に示すように、この画像形成装置３は、ユーザにより操作される操作卓３０と、用紙の一辺にタブを有するタブ紙を含む複数種類の用紙が収納される用紙トレイＴと、操作に応じて用紙の種類、および用紙サイズを含む用紙情報を設定する用紙情報設定部３２と、用紙トレイＴから送出された用紙の通過を検出するセンサ３４ａと、センサ３４ａからの検出信号に基づき用紙サイズを検知する用紙サイズ検知部３４と、用紙トレイＴから送出された用紙上に画像を形成する画像形成部３３と、上記用紙情報に基づき画像形成部３３による画像形成動作を制御する制御部３６と、用紙サイズのプラス側およびマイナス側の許容誤差を記憶する用紙サイズ許容誤差記憶部３７と、用紙情報設定部３２によって設定された用紙サイズと用紙サイズ検知部３４によって検知された用紙サイズとの差を記憶する用紙サイズ差記憶部３５と、タブ紙の最大サイズおよび最小サイズが記憶されるタブサイズ記憶部３９と、起動時にはオフにセットされ、用紙サイズ検知部３４によって最初のタブ用紙が検知されたときにオンにセットされるタブ紙検知フラグＦＬＧと、用紙サイズ検知部３４によって検知された用紙サイズが、タブサイズ記憶部３９に記憶された最大サイズから最小サイズまでの範囲内に含まれている場合に、用紙サイズ許容誤差記憶部３７に記憶されたプラス側の許容誤差を、そのプラス側の許容誤差に上記用紙サイズ差記憶部３５に記憶された用紙サイズ差を加算した値に更新する用紙サイズ許容誤差更新部３８とを備えている。
【００６６】
制御部３６は、用紙サイズ差記憶部３５に記憶された用紙サイズ差が、用紙サイズ許容誤差記憶部３７に記憶されたプラス側の許容誤差からマイナス側の許容誤差までの範囲を外れている場合には画像形成動作を中止させるように制御する。
【００６７】
この画像形成装置３では、用紙サイズミスマッチとして検出された用紙は即座に搬送を停止するとともにそれ以降の画像形成動作は停止される。
【００６８】
図７は、本発明の第３の実施形態の画像形成装置のタブ紙給紙制御動作を示すフローチャートである。
【００６９】
なお、この第３の実施形態では、用紙情報設定部３２によって用紙種類として「タブ紙」、用紙サイズＳとして「２１０ｍｍ」が設定されており、また、用紙サイズ許容誤差記憶部３７には、用紙サイズのプラス側許容誤差Ｌｍａｘとして「＋５ｍｍ」、用紙サイズのマイナス側許容誤差Ｌｍｉｎとして「−５ｍｍ」、タブサイズ記憶部３９には、タブ紙の最大サイズＴａｂｍａｘとして「２２３ｍｍ」、および最小サイズＴａｂｍｉｎとして「２１８ｍｍ」が初期値として記憶されている。
【００７０】
図７に示すように、この第３の実施形態では、先ず起動時に、タブ紙検知フラグＦＬＧがオフにセットされ（ステップＳ３０１）、次に、用紙サイズ検知部３４（図６参照）による用紙サイズ検知が行われ（ステップＳ３０２）、次に検知された用紙サイズＬと上記用紙サイズＳとの用紙サイズ差ｄｉｆｆが求められ用紙サイズ差記憶部３５（図６参照）に記憶される（ステップＳ３０３）。この例では用紙サイズＬは「２２０ｍｍ」、用紙サイズＳは「２１０ｍｍ」であるので用紙サイズ差ｄｉｆｆは「１０ｍｍ」となる。
【００７１】
次にユーザの操作に応じて用紙情報設定部３２（図６参照）により設定された用紙種類がタブ紙であるか否かの判定が行われる（ステップＳ３０４）。
【００７２】
ステップＳ３０４における判定の結果、用紙種類がタブ紙である場合はステップＳ３０５に進み、用紙種類がタブ紙ではない場合はステップＳ３０８に進む。
【００７３】
この例では、用紙情報設定部３２により用紙種類はタブ紙であると設定されているのでステップＳ３０５に進む。
【００７４】
ステップＳ３０５では、タブ紙検知フラグＦＬＧがオフにセットされているか否かの判定が行われる。
【００７５】
ステップＳ３０５における判定の結果、タブ紙検知フラグＦＬＧがオフにセットされている場合はステップＳ３０６に進み、タブ紙検知フラグＦＬＧがオフにセットされていない場合はステップＳ３０８に進む。
【００７６】
ステップＳ３０６では、検知された用紙サイズＬがタブを含むものであるか否かの判定、すなわち、ステップＳ３０１で検知された用紙サイズＬ「２２０ｍｍ」が、タブ紙の最大サイズＴａｂｍａｘ「２２３ｍｍ」から、最小サイズＴａｂｍｉｎ「２１８ｍｍ」までの範囲内に含まれているか否かの判定が行われる。
【００７７】
ステップＳ３０６における判定の結果、タブを含むものである場合はステップＳ３０７に進み、タブを含むものではない場合はステップＳ３０８に進む。
【００７８】
ステップＳ３０７では、用紙サイズ許容誤差更新部３８（図６参照）は、用紙サイズ許容誤差記憶部３７に記憶されたプラス側許容誤差Ｌｍａｘを、そのプラス側許容誤差Ｌｍａｘに用紙サイズ差記憶部３５に記憶された用紙サイズ差を加算した値に更新する。
【００７９】
また、ステップＳ３０７では、タブ紙検知フラグＦＬＧがオンにセットされ、次に、ステップＳ３０８に進む。
【００８０】
ステップＳ３０８では、上記用紙サイズ差ｄｉｆｆが、用紙サイズ許容誤差記憶部３７に記憶されたプラス側の許容誤差Ｌｍａｘからマイナス側の許容誤差Ｌｍｉｎまでの範囲内であるか否か、すなわち用紙サイズミスマッチが発生したか否かが判定される。
【００８１】
ステップＳ３０８において範囲内であると判定された場合、すなわち用紙サイズミスマッチが発生していない場合にはステップＳ３０９に進み、ステップＳ３０８において範囲内ではないと判定された場合、すなわち用紙サイズミスマッチが発生した場合にはステップＳ３１１に進む。
【００８２】
上記の例では、Ｌｍｉｎ＜ｄｉｆｆ＜ＬｍａｘとなるのでステップＳ３０９に進む。
【００８３】
ステップＳ３０９では、画像形成部３３（図６参照）による通常の画像形成動作が続けられ、次にステップＳ３１０で画像形成動作が終了したか否かが判定され、画像形成動作が終了していないと判定された場合はステップＳ３０２以降の処理が繰り返され、画像形成動作が終了したと判定された場合はこのフローチャートの処理を終了する。
【００８４】
ステップＳ３１１では、用紙サイズミスマッチとして検出された用紙は即座に搬送を停止するとともにそれ以降の画像形成動作は停止される。
【００８５】
次に、本発明の第４の実施形態について説明する。
【００８６】
図８は、本発明の第４の実施形態の画像形成装置の概略構成図である。
【００８７】
この第４の実施形態の画像形成装置は、本発明の請求項４の画像形成装置に対応するものである。
【００８８】
図８に示すように、この画像形成装置４は、ユーザにより操作される操作卓４０と、用紙の一辺にタブを有するタブ紙を含む複数種類の用紙が収納される用紙トレイＴと、操作に応じて用紙の種類、および用紙サイズを含む用紙情報を設定する用紙情報設定部４２と、用紙トレイＴから送出された用紙の通過を検出するセンサ４４ａと、センサ４４ａからの検出信号に基づき用紙サイズを検知する用紙サイズ検知部４４と、用紙トレイＴから送出された用紙上に画像を形成する画像形成部４３と、上記用紙情報に基づき画像形成部４３による画像形成動作を制御する制御部４６と、用紙サイズのプラス側およびマイナス側の許容誤差を記憶する用紙サイズ許容誤差記憶部４７と、用紙情報設定部４２によって設定された用紙サイズと用紙サイズ検知部４４によって検知された用紙サイズとの差を記憶する用紙サイズ差記憶部４５と、タブ紙の最大サイズおよび最小サイズが記憶されるタブサイズ記憶部４９と、起動時にはクリアされ、用紙サイズ検知部４４によって最初のタブ用紙が検知されたときに、用紙サイズ検知部４４によって検知された用紙サイズが記憶される用紙検知サイズメモリＭＥＭとを備えている。
【００８９】
制御部４６は、用紙情報設定部４２により設定された用紙の種類が非タブ紙である場合には用紙サイズ差記憶部４５に記憶された用紙サイズ差が、用紙サイズ許容誤差記憶部４７に記憶された用紙サイズのプラス側の許容誤差からマイナス側の許容誤差までの範囲を外れている場合には画像形成部４３による画像形成を中止させるように制御するとともに、用紙情報設定部４２により設定された用紙の種類がタブ紙である場合には用紙サイズ検知部４４によって検知された用紙サイズが用紙検知サイズメモリＭＥＭに記憶されている用紙サイズに上記プラス側の許容誤差を加算した値から上記マイナス側の許容誤差を加算した値までの範囲を外れており、かつ用紙サイズ差記憶部４５に記憶された用紙サイズ差が、用紙サイズ許容誤差記憶部４７に記憶された用紙サイズのプラス側の許容誤差からマイナス側の許容誤差までの範囲を外れている場合には画像形成部４３による画像形成を中止させるように制御する。
【００９０】
この画像形成装置４では、用紙サイズミスマッチとして検出された用紙は即座に搬送を停止するとともにそれ以降の画像形成動作は停止される。
【００９１】
図９は、本発明の第４の実施形態の画像形成装置のタブ紙給紙制御動作を示すフローチャートである。
【００９２】
なお、この第４の実施形態では、用紙情報設定部４２によって用紙種類として「タブ紙」、用紙サイズＳとして「２１０ｍｍ」が設定されており、また、用紙サイズ許容誤差記憶部４７には、用紙サイズのプラス側許容誤差Ｌｍａｘとして「＋５ｍｍ」、用紙サイズのマイナス側許容誤差Ｌｍｉｎとして「−５ｍｍ」、タブサイズ記憶部４９には、タブ紙の最大サイズＴａｂｍａｘとして「２２３ｍｍ」、および最小サイズＴａｂｍｉｎとして「２１８ｍｍ」が初期値として記憶されている。
【００９３】
図９に示すように、この第４の実施形態では、先ず起動時に、用紙検知サイズメモリＭＥＭがクリアされる（ステップＳ４０１）。
【００９４】
次に、用紙サイズ検知部４４（図８参照）による用紙サイズ検知が行われ（ステップＳ４０２）、次に検知された用紙サイズＬと上記用紙サイズＳとの用紙サイズ差ｄｉｆｆが求められ用紙サイズ差記憶部４５（図８参照）に記憶される（ステップＳ４０３）。この例では用紙サイズＬは「２２０ｍｍ」、用紙サイズＳは「２１０ｍｍ」であるので用紙サイズ差ｄｉｆｆは「１０ｍｍ」となる。
【００９５】
次にユーザの操作に応じて用紙情報設定部４２（図８参照）により設定された用紙種類がタブ紙であるか否かの判定が行われる（ステップＳ４０４）。
【００９６】
ステップＳ４０４における判定の結果、用紙種類がタブ紙である場合はステップＳ４０５に進み、用紙種類がタブ紙ではない場合はステップＳ４１１に進む。
【００９７】
この例では、用紙情報設定部４２により用紙種類はタブ紙であると設定されているのでステップＳ４０５に進む。
【００９８】
ステップＳ４０５では、用紙検知サイズメモリＭＥＭがクリアされているか否かの判定が行われる。
【００９９】
ステップＳ４０５における判定の結果、用紙検知サイズメモリＭＥＭがクリアされている場合はステップＳ４０６に進み、用紙検知サイズメモリＭＥＭがクリアされていない場合はステップＳ４０８に進む。
【０１００】
ステップＳ４０６では、検知された用紙サイズＬがタブを含むものであるか否かの判定、すなわち、ステップＳ４０２で検知された用紙サイズＬ「２２０ｍｍ」が、タブ紙の最大サイズＴａｂｍａｘ「２２３ｍｍ」から、最小サイズＴａｂｍｉｎ「２１８ｍｍ」までの範囲内に含まれているか否かの判定が行われる。
【０１０１】
ステップＳ４０６における判定の結果、タブを含むものである場合はステップＳ４０７に進み、タブを含むものではない場合はステップＳ４０８に進む。
【０１０２】
ステップＳ４０７では、用紙検知サイズメモリＭＥＭに、検知サイズＬ「２２０ｍｍ」をセットする。
【０１０３】
次に、ステップＳ４０８では、用紙サイズ検知部４４によって検知された用紙サイズが、用紙検知サイズメモリＭＥＭに記憶された用紙サイズにプラス側の許容誤差を加算した値からマイナス側の許容誤差を加算した値までの許容範囲内に含まれているか否かの判定が行われる。
【０１０４】
ステップＳ４０８における判定の結果、上記許容範囲内に含まれている場合はステップＳ４０９に進み、上記許容範囲内に含まれていない場合はステップＳ４１１に進む。
【０１０５】
ステップＳ４０９では、画像形成部４３（図８参照）による通常の画像形成動作が続けられ、次にステップＳ４１０で画像形成動作が終了したか否かが判定され、画像形成動作が終了していないと判定された場合はステップＳ４０２以降の処理が繰り返され、画像形成動作が終了したと判定された場合はこのフローチャートの処理を終了する。
【０１０６】
ステップＳ４１１では、上記用紙サイズ差ｄｉｆｆが、用紙サイズ許容誤差記憶部４７に記憶されたプラス側の許容誤差Ｌｍａｘからマイナス側の許容誤差Ｌｍｉｎまでの範囲内であるか否か、すなわち用紙サイズミスマッチが発生したか否かが判定される。
【０１０７】
ステップＳ４１１において範囲内であると判定された場合には上述のようにステップＳ４０９に進み、ステップＳ４１１において範囲内ではないと判定された場合にはステップＳ４１２に進む。
【０１０８】
ステップＳ４１２では、用紙サイズミスマッチとして検出された用紙は即座に搬送を停止するとともにそれ以降の画像形成動作は停止される。
【０１０９】
次に、本発明の第５の実施形態について説明する。
【０１１０】
図１０は、本発明の第５の実施形態の画像形成装置の概略構成図である。
【０１１１】
この第５の実施形態の画像形成装置は、本発明の請求項５の画像形成装置に対応するものである。
【０１１２】
図１０に示すように、この画像形成装置５は、ユーザにより操作される操作卓５０と、用紙の一辺にタブを有するタブ紙を含む複数種類の用紙が収納される用紙トレイＴと、操作に応じて用紙の種類、用紙サイズ、およびタブサイズを含む用紙情報を設定する用紙情報設定部５２と、用紙トレイＴから送出された用紙の通過を検出するセンサ５４ａと、センサ５４ａからの検出信号に基づき用紙サイズを検知する用紙サイズ検知部５４と、用紙トレイＴから送出された用紙上に画像を形成する画像形成部５３と、上記用紙情報に基づき画像形成部５３による画像形成動作を制御する制御部５６と、用紙サイズのプラス側およびマイナス側の許容誤差を記憶する用紙サイズ許容誤差記憶部５７と、用紙情報設定部５２によって設定された用紙サイズと用紙サイズ検知部５４によって検知された用紙サイズとの差を記憶する用紙サイズ差記憶部５５と、用紙情報設定部５２により設定された用紙の種類がタブ紙である場合に、用紙情報設定部５２により設定された用紙サイズＳとタブサイズＴＡＢとを加算したタブ紙サイズを記憶するタブ紙サイズ記憶部５１とを備え、
制御部５６は、用紙情報設定部５２により設定された用紙の種類が非タブ紙である場合には用紙サイズ差記憶部５５に記憶された用紙サイズ差が、用紙サイズ許容誤差記憶部５７に記憶された用紙サイズのプラス側の許容誤差からマイナス側の許容誤差までの範囲を外れている場合には画像形成部５３による画像形成を中止させるように制御するとともに、用紙情報設定部５２により設定された用紙の種類がタブ紙である場合には用紙サイズ検知部５４によって検知された用紙サイズが、タブ紙サイズ記憶部５１に記憶されているタブ紙サイズに上記プラス側の許容誤差を加算した値から上記マイナス側の許容誤差を加算した値までの範囲を外れており、かつ用紙サイズ差記憶部５５に記憶された用紙サイズ差が、用紙サイズ許容誤差記憶部５７に記憶された用紙サイズのプラス側の許容誤差からマイナス側の許容誤差までの範囲を外れている場合には用紙サイズミスマッチが検出されたことを意味しているので画像形成部５３による画像形成を中止させるように制御する。
【０１１３】
この画像形成装置５では、用紙サイズミスマッチとして検出された用紙は即座に搬送を停止するとともにそれ以降の画像形成動作は停止される。
【０１１４】
図１１は、本発明の第５の実施形態の画像形成装置のタブ紙給紙制御動作を示すフローチャートである。
【０１１５】
なお、この第５の実施形態では、用紙情報設定部５２によって用紙種類として「タブ紙」、用紙サイズＳとして「２１０ｍｍ」、タブサイズＴＡＢとして「１０ｍｍ」が設定されており、また、用紙サイズ許容誤差記憶部５７には、用紙サイズのプラス側許容誤差Ｌｍａｘとして「＋５ｍｍ」、用紙サイズのマイナス側許容誤差Ｌｍｉｎとして「−５ｍｍ」が初期値として記憶されている。
【０１１６】
図１１に示すように、この第５の実施形態では、先ず起動時に、用紙サイズ許容誤差記憶部５７に、用紙情報設定部５２によって設定された用紙サイズＳをセットする（ステップＳ５０１）。
【０１１７】
次に、用紙サイズ検知部５４（図１０参照）による用紙サイズ検知が行われ（ステップＳ５０２）、次に検知された用紙サイズＬと上記用紙サイズＳとの用紙サイズ差ｄｉｆｆが求められ用紙サイズ差記憶部５５（図１０参照）に記憶される（ステップＳ５０３）。この例では用紙サイズＬは「２２０ｍｍ」、用紙サイズＳは「２１０ｍｍ」であるので用紙サイズ差ｄｉｆｆは「１０ｍｍ」となる。
【０１１８】
次にユーザの操作に応じて用紙情報設定部５２（図１０参照）により設定された用紙種類がタブ紙であるか否かの判定が行われる（ステップＳ５０４）。
【０１１９】
ステップＳ５０４における判定の結果、用紙種類がタブ紙である場合はステップＳ５０５に進み、用紙種類がタブ紙ではない場合はステップＳ５０９に進む。
【０１２０】
この例では、用紙情報設定部５２により用紙種類はタブ紙であると設定されているのでステップＳ５０５に進む。
【０１２１】
ステップＳ５０５では、用紙検知サイズメモリＭＥＭに、用紙サイズＳとタブサイズＴＡＢを加算した値をセットする。
【０１２２】
次にステップＳ５０６では、上記用紙サイズＬが、用紙検知サイズメモリＭＥＭにプラス側の許容誤差を加算した値からマイナス側の許容誤差を加算した値までの許容範囲内に含まれているか否かの判定が行われる。
【０１２３】
ステップＳ５０６における判定の結果、上記許容範囲内に含まれている場合はステップＳ５０７に進み、上記許容範囲内に含まれていない場合はステップＳ５０９に進む。
【０１２４】
ステップＳ５０７では、画像形成部５３（図１０参照）による通常の画像形成動作が続けられ、次にステップＳ５０８で画像形成動作が終了したか否かが判定され、画像形成動作が終了していないと判定された場合はステップＳ５０２以降の処理が繰り返され、画像形成動作が終了したと判定された場合はこのフローチャートの処理を終了する。
【０１２５】
ステップＳ５０９では、上記用紙サイズ差ｄｉｆｆが、用紙サイズ許容誤差記憶部５７に記憶されたプラス側の許容誤差Ｌｍａｘからマイナス側の許容誤差Ｌｍｉｎまでの範囲内であるか否か、すなわち用紙サイズミスマッチが発生したか否かが判定される。
【０１２６】
ステップＳ５０９において範囲内であると判定された場合には上述のステップＳ５０７に進み、ステップＳ５０９において範囲内ではないと判定された場合にはステップＳ５１０に進む。
【０１２７】
ステップＳ５１０では、用紙サイズミスマッチとして検出された用紙は即座に搬送を停止するとともにそれ以降の画像形成動作は停止される。
【図面の簡単な説明】
【０１２８】
【図１】本発明の画像形成装置の第１および第２の実施形態に共通の概略構成図である。
【図２】本発明の第１、第３、第４の実施形態の画像形成装置に備えられた操作卓に表示される用紙情報設定画面を示す図である。
【図３】本発明の第１の実施形態の画像形成装置のタブ紙給紙制御動作を示すフローチャートである。
【図４】第２および第５の実施形態の画像形成装置に備えられた操作卓に表示される用紙情報設定画面を示す図である。
【図５】本発明の第２の実施形態の画像形成装置のタブ紙給紙制御動作を示すフローチャートである。
【図６】本発明の第３の実施形態の画像形成装置の概略構成図である。
【図７】本発明の第３の実施形態の画像形成装置のタブ紙給紙制御動作を示すフローチャートである。
【図８】本発明の第４の実施形態の画像形成装置の概略構成図である。
【図９】本発明の第４の実施形態の画像形成装置のタブ紙給紙制御動作を示すフローチャートである。
【図１０】本発明の第５の実施形態の画像形成装置の概略構成図である。
【図１１】本発明の第５の実施形態の画像形成装置のタブ紙給紙制御動作を示すフローチャートである。
【図１２】タブ紙の形状を示す図である。
【図１３】タブの形成位置と用紙サイズ検知センサの配備位置との関係を示す図である。
【符号の説明】
【０１２９】
１，３，４，５    画像形成装置
１０，３０，４０，５０    操作卓
１０ａ，１０ａ’    用紙情報設定画面
１０ｂ    用紙種類設定領域
１０ｃ    用紙サイズ設定領域
１０ｄ    横サイズ設定窓
１０ｅ    縦サイズ設定窓
１０ｆ    タブサイズ設定領域
１０ｇ    タブサイズ設定窓
１２，３２，４２，５２    用紙情報設定部
１３，３３，４３，５３    画像形成部
１４，３４，４４，５４    用紙サイズ検知部
１４ａ，３４ａ，４４ａ，５４ａ    センサ
１５，３５，４５，５５    用紙サイズ差記憶部
１６，３６，４６，５６    制御部
１７，３７，４７，５７    用紙サイズ許容誤差記憶部
１８，３８    用紙サイズ許容誤差更新部
３９，４９    タブサイズ記憶部
５１    タブ紙サイズ記憶部
【図１】
2007084325.tif 000003
【図２】
2007084325.tif 000004
【図３】
2007084325.tif 000005
【図４】
2007084325.tif 000006
【図５】
2007084325.tif 000007
【図６】
2007084325.tif 000008
【図７】
2007084325.tif 000009
【図８】
2007084325.tif 000010
【図９】
2007084325.tif 000011
【図１０】
2007084325.tif 000012
【図１１】
2007084325.tif 000013
【図１２】
2007084325.tif 000014
【図１３】
2007084325.tif 000015